(57)【要約】【課題】安定したシート給送を行うことができなくなってしまうことを抑制できるシート給送装置を提供する。【解決手段】用紙積載部１１と、昇降モータ１９と、ペーパーエンドセンサ３２と、用紙有無判定部２０３と、昇降モータ１９の昇降動作を制御する用紙制御部１８と、を備える給紙装置２００において、用紙制御部１８は、ペーパーエンドセンサ３２により、用紙積載部１１の昇降方向における第一位置で用紙Ｐが検知されないときには、用紙積載部１１を上昇させて用紙が第一位置よりも上方の第二位置となるように昇降モータ１９を制御し、この制御を行った後、用紙を第二位置から第一位置まで下降させるように昇降モータ１９を制御するときには、用紙有無判定部２０３に用紙無し、と判定させない。【選択図】図１２
2019119558.tif 000002
【特許請求の範囲】
【請求項１】
シート束を積載するシート積載部と、該シート積載部を昇降させる昇降手段と、前記シート積載部に積載したシートの有無を検知するシート有無検知手段と、該シート有無検知手段の検知結果から前記シート積載部上のシートの有無を判定するシート有無判定手段と、前記昇降手段の昇降動作を制御する制御手段と、を備えるシート給送装置において、
前記制御手段は、
前記シート有無検知手段により、前記シート積載部の昇降方向における第一位置でシートが検知されないときには、前記シート積載部を上昇させてシートが前記第一位置よりも上方の第二位置となるように前記昇降手段を制御し、
この制御を行った後、シートを前記第二位置から前記第一位置まで下降させるように前記昇降手段を制御するときには、前記シート有無判定手段にシート無し、と判定させないことを特徴とするシート給送装置。
【請求項２】
請求項１に記載のシート給送装置において、
シートが前記第一位置に位置しているか否かを判定する第一位置判定手段と、シートが前記第二位置に位置しているか否かを判定する第二位置判定手段とを備えていることを特徴とするシート給送装置。
【請求項３】
請求項１又は２に記載のシート給送装置において、
シートを前記第一位置から前記第二位置まで上昇させるように前記シート積載部を上昇させる上昇動作、及びシートを前記第二位置から前記第一位置まで下降させるように前記シート積載部を下降させる下降動作は、当該シート給送装置のイニシャル動作時に行われることを特徴とするシート給送装置。
【請求項４】
請求項１乃至３のいずれか一に記載のシート給送装置において、
前記シート有無判定手段は、シート給送動作、又は次の当該シート給送装置のイニシャル動作が開始されるまでシート無し、と判定しないことを特徴とするシート給送装置。
【請求項５】
請求項２に記載のシート給送装置において、
前記第一位置判定手段は、シートを検知する第一シート検知センサを有し、該第一シート検知センサの検知結果に基づいてシートが第一位置に位置しているか否かを判定し、
前記第二位置判定手段は、前記第一シート検知センサよりも上方に配置され、シートを検知する第二シート検知センサを有し、該第二シート検知センサの検知結果に基づいてシートが第二位置に位置しているか否かを判定することを特徴とするシート給送装置。
【請求項６】
請求項１乃至５のいずれか一に記載のシート給送装置において、
前記制御手段は、前記シート有無検知手段の検知結果をマスク処理することで、前記シート有無判定手段にシート無し、と判定させないようにすることを特徴とするシート給送装置。
【請求項７】
請求項６に記載のシート給送装置において、
前記マスク処理を行なう手段は、ラッチ回路を含んでおり、
前記ラッチ回路に、前記シート有無検知手段のシート有りの検知結果が固定されており、
シートを前記第二位置から前記第一位置まで下降するように前記シート積載部が下降しているときには、前記シート有無判定手段は、前記ラッチ回路に固定されている検知結果から前記シート積載部上のシートの有無を判定することを特徴とするシート給送装置。
【請求項８】
請求項６に記載のシート給送装置において、
前記マスク処理を行なう手段は、ダミー被検知部材と該ダミー被検知部材を移動させる移動手段とを含み、
シートを前記第二位置から前記第一位置まで下降させるように前記シート積載部が下降しているときには、前記移動手段は前記ダミー被検知部材を前記シート有無検知手段の検知範囲内に侵入させることを特徴とするシート給送装置。
【請求項９】
請求項１乃至８のいずれか一に記載のシート給送装置において、
前記制御手段は、前回のイニシャル動作時にシート積載部に積載したシートが前記第一位置から前記第二位置まで上昇した場合には、給送ジョブ完了後、シート積載部上のシートを前記第一位置まで下降させるときに、前記シート有無判定手段にシート無し、と判定させないようにすることを特徴とするシート給送装置。
【請求項１０】
請求項２又は５に記載のシート給送装置において、
前記シート積載部に積載されたシート束の上端部に向けてエアを吹き付けてシートを浮上させるエア吹き付け手段を備え、
前記昇降手段は、前記第一位置判定手段と前記第二位置判定手段の判定結果に基づいて、前記シート積載部の昇降動作を停止させてイニシャル動作を完了し、
シート給送動作が開始され、前記エア吹き付け手段によるエア吹き付けが開始されると前記第二位置判定手段の判定結果に基づいて、シート積載部の位置を制御することを特徴とするシート給送装置。
【請求項１１】
シート上に画像を形成する画像形成部と、該画像形成部に向けてシート束から分離したシートを給送するシート給送装置と、を備えた画像形成装置において、
前記シート給送装置として、請求項１乃至１０のいずれか一に記載のシート給送装置を備えたことを特徴とする画像形成装置。
【請求項１２】
シート上に画像を形成する画像形成装置と、該画像形成装置に向けてシート束から分離したシートを給送するシート給送装置と、を備えた画像形成システムにおいて、
前記シート給送装置として、請求項１乃至１０のいずれか一に記載のシート給送装置を備えたことを特徴とする画像形成システム。
【発明の詳細な説明】
【技術分野】
【０００１】
本発明は、シート給送装置、画像形成装置、及び画像形成システムに関するものである。
【背景技術】
【０００２】
従来から、用紙やプリプレグ等のシート束を積載するシート積載部と、シート積載部を昇降させる昇降手段と、昇降手段の動作を制御する制御手段と、を備えた、次のようなシート給送装置が知られている。
【０００３】
例えば、特許文献１には、次のようなシート給送装置（給紙装置）が記載されている。
第一位置判定手段（側上面センサ下の検知）でシート（用紙の最上面）が第一位置（第１の所定の位置）に位置（まで上昇）していると判断（検知）したときにシート有無判定手段（ペーパーエンドセンサ）でシートの有無を判定（検知）する。そして、シート無しの場合にはシート積載部（用紙載置台）を第二位置判定手段（側上面センサ上）の判定位置である第二位置（第２の所定の位置）まで上昇させて、シート有無判定手段で再度、シートの有無を検知するものである。
そして、このようにシートの有無を検知することで、黒紙や反射率の低いシートでも確実に、その有無を検知することができる旨、記載されている。
【発明の概要】
【発明が解決しようとする課題】
【０００４】
しかしながら、従来のシート給送装置では、適正位置からシート給送動作を開始するために、シート積載部を第二位置から下降させるときにペーパーエンドを誤検知してしまい、安定したシート給送を行うことができなくなる場合があった。
【課題を解決するための手段】
【０００５】
上述した課題を解決するために、請求項１に記載の発明は、シート束を積載するシート積載部と、該シート積載部を昇降させる昇降手段と、前記シート積載部に積載したシートの有無を検知するシート有無検知手段と、該シート有無検知手段の検知結果から前記シート積載部上のシートの有無を判定するシート有無判定手段と、前記昇降手段の昇降動作を制御する制御手段と、を備えるシート給送装置において、前記制御手段は、前記シート有無検知手段により、前記シート積載部の昇降方向における第一位置でシートが検知されないときには、前記シート積載部を上昇させてシートが前記第一位置よりも上方の第二位置となるように前記昇降手段を制御し、この制御を行った後、シートを前記第二位置から前記第一位置まで下降させるように前記昇降手段を制御するときには、前記シート有無判定手段にシート無し、と判定させないことを特徴とする。
【発明の効果】
【０００６】
本発明によれば、安定したシート給送を行うことができなくなることを抑制できるシート給送装置を提供できる。
【図面の簡単な説明】
【０００７】
【図１】一実施形態の画像形成システムの概略構成図。
【図２】一実施形態の画像形成装置の概略構成図。
【図３】一実施形態の給紙装置の概略構成図。
【図４】給紙装置の給紙トレイ近傍の概略斜視図。
【図５】給紙装置の給紙トレイ近傍の概略断面図。
【図６】用紙検知センサに有した第一側上面センサと第二側上面センサと、ペーパーエンドセンサの説明図。
【図７】給紙装置の制御系の要部構成のブロック図の一例。
【図８】給紙装置の昇降手段の概要説明図。
【図９】黒紙やカール紙における用紙有無検知の不具合に関する説明図。
【図１０】黒紙などのイニシャル動作についての説明図。
【図１１】黒紙などの給紙ジョブ完了時についての説明図。
【図１２】イニシャル動作時のフローについての説明図。
【図１３】給紙ジョブ開始時のフローについての説明図。
【図１４】給紙ジョブ完了時のフローについての説明図。
【図１５】ペーパーエンド時のフローについての説明図。
【図１６】ラッチ回路を経由することで、ペーパーエンドセンサの検知結果が用紙有／用紙無のいずれであっても、出力を用紙有する構成の説明図。
【図１７】ペーパーエンドセンサの検知範囲に、移動可能なダミーの被検知部材を設ける構成の説明図。
【発明を実施するための形態】
【０００８】
以下、本発明を適用した給紙装置の一実施形態について説明する。
図１は、本実施形態の画像形成システム１の概略構成図である。
図１に示すように、画像形成システム１は、用紙に画像を形成する画像形成手段としての電子写真方式の画像形成装置１００と、画像形成装置にシートとしての用紙を給紙するシート給送装置である給紙装置２００とを備えている。給紙装置は、画像形成装置１００本体の側面に設けられている。
【０００９】
まず、本実施形態の給紙装置を適用可能なプリンター、及び同等の作像機能を有する複写機などの画像形成装置の全体構成及び動作について説明する。
図２は、本実施形態に係る画像形成装置１００の概略構成図である。
この画像形成装置１００は、イエロー（Ｙ）、シアン（Ｃ）、マゼンタ（Ｍ）、黒（Ｋ）の４色のトナーを用いるフルカラープリンタ及び、同等の作像機能を有するフルカラーのプリンターである。図２に示すように、装置本体内の上部にそれぞれ各色トナーで作像を行う４つの作像ユニット１０１Ｙ，Ｍ，Ｃ，Ｋを並べて配置している。
【００１０】
各作像ユニット１０１Ｙ，Ｍ，Ｃ，Ｋの構成とその動作は実質的に同一であるため、ここでは色を示す符号（Ｙ，Ｍ，Ｃ，Ｋ）を省略して作像ユニットについて説明する。作像ユニット１０１においては、像担持体としての感光体ドラム１０２の周囲に、帯電器１０３、現像装置１０４、クリーニング装置１０５等が配置されている。また、感光体ドラム１０２の上方に位置して、露光手段１０７が配置されている。
【００１１】
４つの作像ユニット１０１Ｙ，Ｍ，Ｃ，Ｋの下方には、複数の支持ローラに掛け回された中間転写ベルト１０８が配置されている。中間転写ベルト１０８は、支持ローラの一つが駆動手段によって回転駆動されることにより、矢印Ａ方向に走行駆動される。その中間転写ベルト１０８を挟んで各作像ユニット１０１の感光体ドラム１０２に対向するように、一次転写手段としての転写ローラ１０６が配置されている。
【００１２】
各作像ユニット１０１は、感光体ドラム１０２が図中反時計回りに回転駆動され、帯電器１０３によって感光体ドラム１０２表面が所定の極性に均一に帯電される。次いでその帯電面に、露光手段１０７から出射される光変調されたレーザビームが照射され、これによって感光体ドラム１０２上に静電潜像が形成される。形成された静電潜像は、現像装置１０４から付与されるトナーによって現像され、トナー像として可視化される。各作像ユニット１０１で形成されたイエロー、シアン、マゼンタ、黒の各色トナー像は、中間転写ベルト１０８上に順次重ね合わされるように転写される。
【００１３】
一方、装置本体の下部には給紙トレイ１１４ａ及び給紙トレイ１１４ｂを有する給紙部１１４が設けられている。そして、この給紙部１１４あるいは詳しくは後述する、画像形成装置１００に接続された給紙装置２００のいずれかから用紙が給紙される。給紙された用紙は、レジストローラ１１１に向けて矢印Ｂの方向に搬送される。
【００１４】
レジストローラ１１１に突き当てられて一旦停止された用紙は、中間転写ベルト１０８上のトナー像とのタイミングを取ってレジストローラ１１１より送出され、二次転写ローラ１０９と中間転写ベルト１０８とが接する二次転写部に送り込まれる。その二次転写ローラ１０９にトナーの帯電極性と逆極性の電圧が印加され、これによって中間転写ベルト１０８上の重ねトナー像（フルカラー画像）が用紙上に転写される。トナー像転写後の用紙は、搬送ベルト１１２により定着装置１１３へ搬送され、定着装置１１３にて熱と圧力によりトナーが用紙に定着される。トナー像定着後の用紙は、矢印Ｃで示すように機外に排出され、排出トレイ上に積載される。
【００１５】
ここで、片面印刷で裏面排紙（フェイスダウン排紙）する場合は、用紙反転部１１５を経て矢印Ｃで示すように機外に排出することで、用紙の表裏が逆転される。また、両面印刷の場合は、定着後の用紙は反転部１１６を経て再給紙路１１７よりレジストローラ１１１へ向けて再び搬送され、用紙裏面に中間転写ベルト１０８からトナー像が転写される。トナー像転写後の用紙は定着装置１１３で定着が行われ、片面印刷時と同じように定着装置１１３から矢印Ｃで示すように、あるいは用紙反転部１１５を経て矢印Ｃで示すように機外に排出され、排出トレイ上に積載される。また、用紙搬送路上には、用紙搬送方向を切り替えるための切替爪１１８，１１９が適宜配置されている。
【００１６】
モノクロ印刷の場合は、本実施形態の画像形成装置１００では、黒（Ｋ）の作像ユニット１０１Ｋのみを用いてトナー像を作像し、そのトナー像を中間転写ベルト１０８を介して用紙上に転写する。トナー像定着後の用紙の扱いは、フルカラー印刷の場合と同様である。
【００１７】
また、装置本体の上面には、各作像ユニット１０１の現像装置１０４に供給するトナーを収納した各色のトナーボトル１２１をセットするトナーボトルセット部１２０が設けられている。また、表示部１２２及び操作パネル１２３を有する操作部１２４も装置本体の上面に設けられている。
そして、図２に示した画像形成装置１００の図中右側の側面には、後述する給紙装置２００（図３参照）からの用紙搬入部Ｄが設けられている。用紙搬入部Ｄにおいては、用紙を受け入れる開口１２５と、用紙を搬送する搬送手段１２６が設けられている。
【００１８】
図３は、本実施形態の給紙装置２００の概略説明図である。
給紙装置２００は、上下２段の給紙トレイ１０を備える。各給紙トレイ１０は、用紙Ｐの束を積載する用紙積載部である用紙積載部１１を備えている。本実施形態においては、各給紙トレイ１０は、最大２５００枚程度の用紙を収納可能となっている。各給紙トレイ１０の上方には、給紙トレイ１０に積載された用紙Ｐを吸着して分離し、搬送する吸着搬送ユニット２０がそれぞれ配置されている。この吸着搬送ユニット２０は、搬送部材である吸着ベルト２１及び吸引装置２３を備えている。つまり、給紙装置２００は、所謂、エアピック方式の給紙装置である。
【００１９】
また、各給紙トレイ１０には、用紙積載部１１に積載された用紙束上部の複数枚の用紙側面を２つの反射型光学センサを有した用紙検知センサ３１と、用紙積載部１１に積載された用紙の有無を検知するペーパーエンドセンサ３２を備えておる。そして、これらのセンサの出力値に応じて、用紙積載部１１を昇降させる制御を採用している。
用紙検知センサ３１は、後述する第一側上面センサ３１ａと、第二側上面センサ３１ｂとを備えている。
下側の給紙トレイ１０に積載された用紙は、下搬送路８２を通って、出口ローラ対８０によって、画像形成装置１００本体へ搬送される。一方、上側の給紙トレイ１０に積載された用紙は、上搬送８１を通って、出口ローラ対８０によって、画像形成装置１００本体へ搬送される。
【００２０】
図４は、給紙装置２００の給紙トレイ１０近傍の概略斜視図である。
吸着搬送ユニット２０の吸着ベルト２１は、２本の張架ローラ２２ａ，ｂにより張架されており、吸着ベルト２１の表面側から裏面側まで貫通する吸引孔が周方向の全域に設けられている。また、吸着ベルト２１の内部には、吸引装置２３が設けられている。吸引装置２３は、空気の流路であるエアダクト通じて空気を吸引する吸引ファンに接続されており、吸引装置２３により下方に負圧を発生させることで、吸着ベルト２１の下面に用紙Ｐを吸着させるように作用する。
【００２１】
また、給紙トレイ１０には、用紙束の上部の用紙Ｐに対して空気を吹き付ける送風手段である送風装置１７を備える。この送風装置１７は、フロント送風装置１２と一対のサイド送風装置１３とを有している。
フロント送風装置１２は、用紙束の上部の先端（給紙方向下流側端部）に対して空気を送風するものである。このフロント送風装置１２には、用紙束の上部の用紙を浮上させる方向に空気を案内する浮上ノズル、最上位の浮上用紙とそれ以外の用紙を分離する方向に空気を案内する分離ノズル、及び、浮上ノズルと分離ノズルとにそれぞれ空気を送り込む送風ファン１５が配置されている。この各ノズルのうち、浮上ノズルから図中矢印ａ１で示す向きに送風される空気を浮上エア、分離ノズルから図中矢印ａ２で示す向きに送風される空気を分離エアと呼ぶ。浮上エア及び分離エアは、用紙束の上部の先端（給紙方向下流側端部）と対向する箇所から吐出され、用紙束の上部の先端（給紙方向下流側端部）に吹き付けられる。
【００２２】
また、一対のサイド送風装置１３はそれぞれ、サイドフェンスに送風ファン１４が設けられ、用紙束の上部の側面に対して図中矢印ｂで示す向きに空気を送風するものである。このサイド送風装置１３には、用紙束を捌き、浮上させる方向に空気を案内するサイド浮上ノズルが配置されており、このノズルから図中矢印ｂで示す向きに送風される空気をサイドエアと呼ぶ。このサイドエアは、各サイド送風装置１３の用紙束の上部と対向する箇所に設けられた吐出口から吐出され、用紙束上部の側面に吹き付けられる。フロント送風装置１２と、一対のサイド送風装置１３の吐出口とから吹き付けられた空気により、用紙束の上部の用紙が浮上する。
また、給紙トレイ１０には、用紙積載部１１に積載された用紙束の後端を揃えるエンドフェンス２５を設けている。
【００２３】
図５は、給紙装置２００の給紙トレイ１０近傍の概略断面図である。
また、吸着ベルト２１に対して搬送方向下流側には下流側搬送部材である搬送ローラ対８が配置されており、用紙束から分離され、吸着ベルト２１によって搬送されて２つのローラの間に到達した用紙Ｐをさらに下流側に向けて搬送する。
また、図５に示すように用紙の積載方向に沿って、上述した用紙検知センサ３１が設けられている。
【００２４】
また、本実施形態においては、用紙検知センサ３１は、上述したように第一側上面センサ３１ａと、第二側上面センサ３１ｂと備えている。また、用紙検知センサ３１は、反射型光学センサであって、発光素子と受光素子とを備えている。
また、フロント送風装置１２には送風ファン１５と、その吹き出し口に接続され、浮上ノズルと分離ノズルを有し、これらにエアを導く送風ダクト１６が設けられている。
次に、本実施形態の給紙装置２００について、より詳しく、複数の実施例を挙げて説明する。
【００２５】
（実施例１）
本実施形態の給紙装置２００の実施例１について説明する。
まず、図を用いて用紙検知センサ３１、及び用紙積載部１１の昇降制御について説明する。
図６は、用紙検知センサ３１に有した第一側上面センサ３１ａと第二側上面センサ３１ｂと、ペーパーエンドセンサ３２の説明図であり、フロント送風装置１２及びサイド送風装置１３のエア給紙機構における給紙動作中の側上面検知について説明図である。
図６に示す第一側上面センサ３１ａは非浮上状態の用紙束を検知対象に、第二側上面センサ３１ｂは用紙に浮上エアが吹きつけられている浮上用紙を検知対象とすることができる。
また、吸着ベルト２１の吸引面から、例えば、第一側上面センサ３１ａは１８[ｍｍ]下方の位置を検知し、第二側上面センサ３１ｂは１２[ｍｍ]下方の位置を検知するように設定されている。
【００２６】
図７は、給紙装置２００の制御系の要部構成のブロック図の一例である。
図７に示すように、給紙装置２００の制御手段としての用紙制御部１８には、給紙トレイ１０の各側上面センサ３１ａ，ｂ、ペーパーエンドセンサ３２、昇降モータ１９が接続されている。
そして、用紙制御部１８内には、第一上面位置判定部２０１と第二上面位置判定部２０２とを備えている。第一上面位置判定部２０１は、第一側上面センサ３１ａの出力値に基づいて昇降方向の所定位置（第一位置）における用紙Ｐの有無を判定し、第二上面位置判定部２０２は、第二側上面センサ３１ｂの出力値に基づいて昇降方向の所定位置（第二位置）における用紙Ｐの有無を判定する。また、ペーパーエンドセンサ３２の出力値に基づいて用紙積載部１１上の用紙Ｐの有無を判定する用紙有無判定部２０３、詳しくは後述するマスク処理を施すマスク処理部２０４も備えている。
このように用紙制御部１８を備えることで、仮に用紙積載部１１を昇降させる昇降モータ１９の制御が行えない画像形成装置１００に接続する場合であっても、適切なタイミングで用紙を給送することができる給紙装置２００を提供できる。
【００２７】
図８は、給紙装置２００の昇降手段の概要説明図である。
図８に示すように、用紙積載部１１はワイヤ２９２に接続されており、プーリー２９１が回転してワイヤ２９２が巻き取られることにより、用紙積載部１１が水平に上昇する。プーリー２９１はギア列を介して昇降モータ１９の駆動軸に接続され、昇降モータ１９の駆動軸が回転することでワイヤ２９２の巻き取りが行われる。
【００２８】
動作の例としては、用紙積載部１１を昇降モータ１９で昇降させる。上昇した用紙積載部１１は用紙Ｐが第一側上面センサ３１ａの反射型センサで検知され、昇降モータ１９が停止し、ペーパーエンドセンサ３２の反射型センサで用紙の有無が検知される。用紙有無判定部２０３で用紙有りと判断した場合、上限位置確定となり、イニシャル動作を完了する。
しかし、用紙有無判定部２０３で用紙無しと判断した場合は、用紙が第二側上面センサ３１ｂの位置まで上昇するように用紙積載部１１を上昇させ、ペーパーエンドセンサ３２にて再び用紙の有無を確認する。用紙有りの場合、ペーパーエンドセンサ３２をマスク処理させ、用紙が第一側上面センサ３１ａの位置まで下降するように用紙積載部１１を下降させる。
また、第二側上面センサ３１ｂの位置でもペーパーエンドセンサ３２の出力値に基づいて、用紙有無判定部２０３で用紙無し、と判断した場合は、画像形成装置１００へ用紙無し情報を送り、用紙積載部１１を下限位置まで下降させる。
【００２９】
ここで、本実施形態の給紙装置２００は、黒紙やカール紙を給紙するときの構成に特徴がある。
従来のペーパーエンドセンサ３２に反射型センサを利用する装置構成では、黒紙に対しての検出精度に問題があった。具体的には、反射型のセンサでは検出体表面の反射光を検出しているため、検出体の性質や表面状態によって検知距離が左右される特性を有している。一般的には反射率の高いもの程検出精度が高く、光沢のない用紙や黒紙などにたいしては相対的な検出距離が短くなる。黒紙や反射率の少ない用紙に対しては反射率が低いため、反射型センサでの検知が難しい。したがって、用紙が載置されているにもかかわらず、用紙無しの判定がされる問題が生じる。
【００３０】
例えば、黒紙や反射率が低い用紙を通紙する場合、イニシャル動作時は第一側上面センサ３１ａの位置では反射型センサのペーパーエンドセンサ３２では反射率が低く検知できない場合がある。この場合、第二側上面センサ３１ｂへ上昇させ、よりペーパーエンドセンサ３２に近い位置で用紙の有無を確認する。しかし、給紙ジョブを開始するときは第二側上面センサ３１ｂから第一側上面センサ３１ａの位置に用紙を下降させておく必要がある。
ここで、このまま用紙積載部１１を下降させると、黒紙や反射率の低い用紙はペーパーエンドセンサ３２が検知できなくなってしまい、「用紙無し」と誤検知が起きてしまう。
そこで、第一側上面センサ３１ａの位置から第二側上面センサ３１ｂの位置まで用紙を上昇させた後に、用紙積載部１１を下降させる場合には、ペーパーエンドセンサ３２が非検知となった場合でも、用紙有無判定部２０３が「用紙有り」と判断させるマスク処理を行なう。これにより、用紙が用紙積載部１１上にあるにも関わらず「用紙無し」と誤検知が起きてしまうことを防止できる。
【００３１】
図９は、黒紙やカール紙における用紙有無検知の不具合に関する説明図である。
カール紙を通紙する場合にも黒紙や反射率が低い用紙を通紙する場合と同様の問題が生じる。つまり、図９に示すように、第一側上面センサ３１ａの位置で用紙積載部１１が停止し、ペーパーエンドセンサ３２が用紙Ｐの有無を検知しようとしても通常の位置よりも距離が遠く、用紙Ｐが積載されているのに無いと検知してしまう場合がある。
【００３２】
（マスク処理）
ここで、マスク処理の手段の具体例としては、後述するペーパーエンドセンサ３２と用紙制御部１８（用紙有無判定部２０３）の間にラッチ回路を設ける方法と、ペーパーエンドセンサ３２の検知範囲にダミーの被検知部材を移動可能に設ける方法等が挙げられる。
【００３３】
（マスク解除）
上述したマスク処理を行った場合、給紙ジョブ開始時にはペーパーエンドセンサ３２を実際の検知動作に戻さないと、実際にペーパーエンドになった場合に判断できなくなってしまう。このため、給紙ジョブ開始時に第一側上面センサ３１ａが検知するまで用紙積載部１１を上昇させた位置で、ペーパーエンドセンサ３２が検知しておらず、第二側上面センサ３１ｂが検知するまで用紙積載部１１を再上昇させていた場合は、マスク解除動作を行う。ここで、第二側上面センサ３１ｂまで上昇させることを以降、２段階上昇とする。
【００３４】
次に、図６を用いて説明したフロント送風装置１２及びサイド送風装置１３のエア給紙機構における給紙動作中の用紙の側上面検知について説明する。
エアの吹き始めは、図６に示すように用紙高さが第一側上面センサ３１ａの位置で吹き始め、エアの流れが安定している時の最上面の用紙Ｐは第二側上面センサ３１ｂにあるよう用紙積載部１１を上昇させる。最上面の用紙Ｐが第二側上面センサ３１ｂの位置にある場合は、２枚目以降の用紙サバキ状態が最適となり、用紙分離が安定する。
また、第二側上面センサ３１ｂの位置は、黒紙などの用紙もペーパーエンドセンサ３２の位置からも検知することができる。
【００３５】
次に、黒紙などのイニシャル動作について、図を用いて説明する。
図１０は、黒紙などのイニシャル動作についての説明図である。
黒紙などのイニシャル動作では、まず、図１０（ａ）の矢印に示すように第一側上面センサ３１ａの下方から第一側上面センサ３１ａに向けて用紙積載部１１を上昇させる。
その後、図１０（ｂ）に示すように、第一側上面センサ３１ａに用紙が検知される位置において、ペーパーエンドセンサ３２によって用紙の有無を検知する。用紙無しなら、さらに用紙積載部１１を上昇させる。
そして、図１０（ｃ）に示すように、第二側上面センサ３１ｂに用紙が検知される位置において、ペーパーエンドセンサ３２によって用紙の有無を検知する。用紙有りなら、用紙が第一側上面センサ３１ａに検知される位置まで用紙積載部１１を下降させる。このとき、反射率の低い黒紙等ではペーパーエンドセンサ３２が用紙無しと判断してしまうため、用紙無しと判断しないようにペーパーエンドセンサ３２をマスク処理して下降させる。
【００３６】
次に、黒紙などの給紙ジョブ完了時について、図を用いて説明する。
図１１は、黒紙などの給紙ジョブ完了時についての説明図であり、図１１（ａ）が給紙完了時の状態の説明図、図１１（ｂ）が第一側上面センサ３１ａ下まで下降させるときの説明図である。
給紙ジョブ完了時には、図１１（ａ）に示すように、第二側上面センサ３１ｂの位置で用紙束が停止している。
この状態でペーパーエンドセンサ３２により用紙の有無を検知し、用紙有りなら、図１１（ｂ）の矢印に示すように各側上面センサ３１ａ，ｂ下まで下降させる。しかし、反射率の低い黒紙等では用紙無しと判断してしまうため、用紙無しと判断しないようにマスク処理して下降させる。
【００３７】
次に、イニシャル動作時のフローについて、図を用いて説明する。
図１２は、イニシャル動作時のフローについての説明図である。
イニシャル動作の開始（Ｓ１０１）の条件は、トレイセット時又は電源ＯＮ時であり、図１２に示すように、まず昇降モータ１９を駆動して用紙積載部１１を上昇させ（Ｓ１０２）、第一側上面センサ３１ａが用紙を検知したか否かの判断を行う（Ｓ１０３）。この判断で第一側上面センサ３１ａが用紙を検知していなければ（Ｓ１０３のＮｏ）、用紙積載部１１の上昇に戻り（Ｓ１０２）、検知するまで繰り返す。一方、第一側上面センサ３１ａが用紙を検知したら（Ｓ１０３のＹｅｓ）、昇降モータ１９を停止する（Ｓ１０４）。
【００３８】
昇降モータ１９を停止した後（Ｓ１０４）、ペーパーエンドセンサ３２がペーパーエンドを検知しているか確認し（Ｓ１０５）、検知していれば（Ｓ１０５のＹｅｓ）、イニシャル動作を完了する（Ｓ１０６）。一方、検知していなければ（Ｓ１０５のＮｏ）、第二側上面センサが検知するまで用紙積載部１１を再上昇させる２段上昇に移行する。
２段上昇では、まず検知するセンサを第二側上面センサ３１ｂに切り替え（Ｓ１０７）、昇降モータ１９を駆動して用紙積載部１１を上昇させ（Ｓ１０８）、第二側上面センサ３１ｂが用紙を検知したか否かの判断を行う（Ｓ１０９）。この判断で第二側上面センサ３１ｂが用紙を検知していなければ（Ｓ１０９のＮｏ）、用紙積載部１１の上昇に戻り（Ｓ１０８）、検知するまで繰り返す。一方、第二側上面センサ３１ｂが用紙を検知したら（Ｓ１０９のＹｅｓ）、昇降モータ１９を停止する（Ｓ１１０）。
【００３９】
昇降モータ１９を停止した後（Ｓ１１０）、ペーパーエンドセンサ３２がペーパーエンドを検知しているか確認し（Ｓ１１１）、検知していなければ（Ｓ１１１のＮｏ）、後述するペーパーエンドに移行する（Ｓ１１２）。一方、検知していれば（Ｓ１１１のＹｅｓ）、ペーパーエンドセンサ３２にマスク処理を施す（Ｓ１１３）。
【００４０】
ペーパーエンドセンサ３２にマスク処理を施した後（Ｓ１１３）、検知するセンサを第一側上面センサ３１ａに切り替え（Ｓ１１４）、昇降モータ１９を駆動して用紙積載部１１を下降させ（Ｓ１１５）、第一側上面センサ３１ａが用紙を検知したか否かの判断を行う（Ｓ１１６）。この判断で第一側上面センサ３１ａが用紙を検知していれば（Ｓ１１６のＹｅｓ）、用紙積載部１１の下降（昇降モータ１９の下降）に戻り（Ｓ１１５）、検知しなくなるまで繰り返す。一方、第一側上面センサ３１ａが用紙を検知しなくなったら（Ｓ１１６のＮｏ）、昇降モータ１９を停止して（Ｓ１１７）、イニシャル動作を完了する（Ｓ１１８）。
また、２段階上昇を行っている場合は、２段階上昇したことを記憶しておく。
【００４１】
つまり、トレイセット時または電源ＯＮ時に昇降モータ１９を上昇させ、第一側上面センサ３１ａが検知するまで用紙積載部１１を上昇させる。そして、第一側上面センサ３１ａが検知したらペーパーエンドセンサ３２は検知しているか確認、検知していない場合は第二側上面センサ３１ｂが検知するまで用紙積載部１１を再上昇させる２段階上昇を行う。
第二側上面センサ３１ｂが検知したら再びペーパーエンドセンサ３２で検知するか確認する。検知した場合、ペーパーエンドセンサ３２をマスク処理させ、第一側上面センサ３１ａが非検知するまで用紙積載部１１を下降させ、イニシャル動作が完了する。
また、２段階上昇を行っている場合は、上述したように、２段階上昇したことを記憶しておく。
【００４２】
次に、給紙ジョブ開始時のフローについて、図を用いて説明する。
図１３は、給紙ジョブ開始時のフローについての説明図である。
図１３に示すように、印刷開始、つまりジョブスタートしたら（Ｓ２０１）、送風装置１７の駆動を開始（エアファン開始）した後（Ｓ２０２）、検知するセンサを第二側上面センサ３１ｂに切り替える（Ｓ２０３）。
【００４３】
その後、上述したイニシャル動作で２段階上昇させていたか否かの判断を行い（Ｓ２０４）、２段上昇をしていた場合には（Ｓ２０４のＹｅｓ）、ペーパーエンドセンサ３２のマスク処理を解除させ（Ｓ２０５）、印刷ジョブを継続する（Ｓ２０６）。一方、２段上昇をしていなかった場合には（Ｓ２０４のＮｏ）、ペーパーエンドセンサ３２のマスク処理を解除することなく、印刷ジョブを継続する（Ｓ２０６）。
ここで、印刷開始で、送風装置１７によりエアを吹き始め、第二側上面センサ３１ｂへ切り替える。このとき、イニシャル動作で２段階上昇させていた場合、ペーパーエンドセンサ３２のマスク処理を解除させる。
【００４４】
次に、給紙ジョブ完了時のフローについて、図を用いて説明する。
図１４は、給紙ジョブ完了時のフローについての説明図である。
図１４に示すように、印刷ジョブが完了し（Ｓ３０１）、ペーパーエンドセンサ３２がペーパーエンドを検知しているか否かの確認を行い（Ｓ３０２）、検知している場合には（Ｓ３０２のＹｅｓ）、後述するペーパーエンド動作に移行する（Ｓ３０３）。一方、検知していない場合（Ｓ３０２のＮｏ）、イニシャル時に２段上昇を行ったか否かの確認に移行する（Ｓ３０４）。
【００４５】
イニシャル時に２段上昇を行ったか否かの確認で（Ｓ３０４）、２段階上昇を行っていなかった場合（Ｓ３０４のＮｏ）、検知するセンサを第一側上面センサ３１ａに切り替えた後（Ｓ３０５）、昇降モータ１９を駆動して用紙積載部１１を下降させる（Ｓ３０８）。一方、２段階上昇を行っていた場合（Ｓ３０４のＹｅｓ）、検知するセンサを第一側上面センサ３１ａに切り替えた後（Ｓ３０６）、ペーパーエンドセンサ３２にマスク処理を施した後（Ｓ３０７）、昇降モータ１９を駆動して用紙積載部１１の下降させる（Ｓ３０８）。
【００４６】
昇降モータ１９を駆動して用紙積載部１１を下降させ始めた後（Ｓ３０８）、第一側上面センサ３１ａが用紙を検知したか否かの判断を行う（Ｓ３０９）。この判断で第一側上面センサ３１ａが用紙を検知していれば（Ｓ３０９のＹｅｓ）、用紙積載部１１の下降に戻り（Ｓ３０８）、検知しなくなるまで繰り返す。一方、第一側上面センサ３１ａが用紙を検知しなくなったら（Ｓ３０９のＮｏ）、昇降モータ１９を停止して（Ｓ３１０）、立ち下げ動作を完了する（Ｓ３１１）。
【００４７】
つまり、印刷ジョブが完了し、ペーパーエンドセンサ３２が検知している場合は、第一側上面センサ３１ａまで用紙積載部１１を下降させる。この場合、イニシャル動作時に２段階上昇させている黒紙や反射率の低い用紙、カール紙は単純に下降させるとペーパーエンドセンサ３２が非検知となるためペーパーエンドセンサ３２をマスク処理させ、第一側上面センサ３１ａまで下降させる必要がある。
【００４８】
次に、ペーパーエンド時のフローについて、図を用いて説明する。
図１５は、ペーパーエンド時のフローについての説明図である。
図１５に示すように、ペーパーエンド時には（Ｓ４０１）、検知するセンサを第一側上面センサ３１ａに切り替え（Ｓ４０２）、昇降モータ１９を駆動して用紙積載部１１を下降させ（Ｓ４０３）、用紙積載部１１（トレイ）が下限まで下降したか否かの確認を行う。
【００４９】
そして、用紙積載部１１が下限まで下降していない場合（Ｓ４０４のＮｏ）、用紙積載部１１の下降（昇降モータ１９の下降）に戻り（Ｓ４０３）、検知しなくなるまで繰り返す。
一方、用紙積載部１１が下限まで下降している場合（Ｓ４０４のＹｅｓ）、昇降モータ１９を停止して（Ｓ４０５）、完了する（Ｓ４０６）。
ここで、ペーパーエンド時に用紙積載部１１を初期の下限位置まで下降させるが、２段階上昇を行っていた場合、２段階上昇の記憶をリセットする。
【００５０】
（実施例２）
本実施形態の給紙装置２００の実施例２について説明する。
本実施例の給紙装置２００は、上述した実施例１の給紙装置と、その基本構成は略同様であり、マスク処理に係る構成のみ異なる。したがって、以下の説明では、本実施例の給紙装置２００について、上述した実施例１と異なるマスク処理に係る構成についてのみ詳しく説明する。
マスク処理の手段の具体例としては、ペーパーエンドセンサ３２と用紙制御部１８（用紙有無判定部２０３）の間にラッチ回路を設ける方法と、ペーパーエンドセンサ３２の検知範囲にダミーの被検知部材を移動可能に設ける方法が挙げられる。
【００５１】
まず、ペーパーエンドセンサ３２と用紙制御部１８（用紙有無判定部２０３）の間にラッチ回路を設ける方法の例を、図を用いて説明する。
図１６は、ラッチ回路を経由することで、ペーパーエンドセンサ３２の検知結果が用紙有／用紙無のいずれであっても、出力を用紙有する構成の説明図であり、図１６（ａ）がラッチ２０５を用紙有りの検知状態に固定したラッチ回路の状態を示している。一方、図１６（ｂ）がラッチ２０５をリセットさせ、ストレートにペーパーエンドセンサ３２の出力を見るラッチ回路の状態を示している。
【００５２】
このマスク処理の手段の方法は、図１６に示すように、ペーパーエンドセンサ３２と用紙制御部１８（用紙有無判定部２０３）の間に信号経路を切り替え可能なラッチ回路を設けている。
マスク処理を施す場合には、図１６（ａ）に示すように、ペーパーエンドセンサ３２の信号（出力）がラッチ２０５を経由して、用紙制御部１８に入力されるように切り替えスイッチ２０６を切り替える。
一方、マスク処理を解除する場合には、図１６（ｂ）に示すように、ペーパーエンドセンサ３２の信号（出力）がラッチ２０５を経由せず、ストレートに用紙制御部１８に入力されるように切り替えスイッチ２０６を切り替える。
このように構成することで、２段階上昇した場合は、ラッチ回路を経由し、ペーパーエンドセンサ３２が検知したならばラッチ２０５を用紙有りで検知状態に固定することができる。また、給紙ジョブ開始時にラッチ２０５をリセットさせ、ペーパーエンドセンサ３２の出力をストレートに、用紙制御部１８に入力することもできる。
【００５３】
次に、ペーパーエンドセンサ３２の検知範囲にダミーの被検知部材を移動可能に設ける方法の例を、図を用いて説明する。
図１７は、ペーパーエンドセンサ３２の検知範囲に、移動可能なダミーの被検知部材を設ける構成の説明図であり、図１７（ａ）がダミーの被検知部材をペーパーエンドセンサ３２で検知する状態の説明図である。一方、図１７（ｂ）がダミーの被検知部材をペーパーエンドセンサ３２の検知範囲から退避させた状態の説明図である。
【００５４】
このマスク処理の手段の方法は、図１７に示すように、フィラーやシートなどのダミー被検知部材２０８と、ダミー被検知部材２０８をペーパーエンドセンサ３２の非検知領範囲から検知範囲に侵入するよう移動させるソレイドなどの移動手段２０９とを備えている。
マスク処理を施す場合には、図１７（ａ）に示すように、ペーパーエンドセンサ３２の非検知領範囲から検知範囲にダミー被検知部材２０８が侵入するように、ダミー被検知部材２０８を移動手段２０９で移動させる。
一方、マスク処理を解除する場合には、図１７（ｂ）に示すように、ペーパーエンドセンサ３２の検知領範囲から非検知範囲にダミー被検知部材２０８が離脱するように、ダミー被検知部材２０８を移動手段２０９で移動させる。
【００５５】
このように構成することで、２段階上昇した後に、第一側上面センサ３１ａで用紙上面が検知される位置まで用紙積載部１１が下降する動作を行なっている最中にもペーパーエンドセンサ３２の検知結果が用紙有りとなり、用紙なしの検知をしない。また、給紙ジョブ開始時に、ペーパーエンドセンサ３２の検知領範囲から非検知範囲にダミー被検知部材２０８を移動手段２０９で移動させ、ペーパーエンドセンサ３２の検知結果を用紙制御部１８に入力することもできる。
【００５６】
以上、本実施形態について、図面を参照しながら説明してきたが、具体的な構成は、上述した本実施形態の給紙装置２００を備えた構成に限られるものではなく、要旨を逸脱しない範囲の設計の変更等を行っても良い。
例えば、本実施形態では、電子写真方式の画像形成装置１００に接続する給紙装置２００について説明したが、給紙装置を接続したり、内蔵したりする画像形成装置としては、インクジェット方式のものにも適用できる。
また、接続、又は内蔵する装置としては、画像形成装置に限定されず、例えば、用紙に折り処理を施す用紙折り装置や用紙又は加工された用紙に検査処理を施す用紙検査装置等の用紙に処理を施す装置にも適用可能である。
【００５７】
また、２つの側上面センサ３１ａ，ｂによりそれぞれ、第一位置と第二位置とを検知する構成について説明したが、このような構成に限られるものではない。
例えば、昇降手段により用紙積載部を第一位置から所定量（パルス）だけ上昇させることで用紙の上面が第二位置に到達したと判断する構成や、側上面センサが第一位置から第二位置へ移動可能な構成としても良い。
このように構成することで、側上面センサを複数設けなくてもペーパーエンドを正確に検知することができる。
また、２つの側上面センサ３１ａ，ｂとして反射型センサを用いた例について説明したが、このような構成に限定されるものではなく、例えば、側上面センサとして接触式のものを用いても良い。
【００５８】
また、画像形成装置１００と給紙装置２００を備えた画像形成システム１について説明したが、給紙装置を備えるシステムとしては、例えば、用紙に折り処理を施す用紙折り装置と給紙装置を備える用紙折りシステムにも適用可能である。
また、用紙等に限らずプリプレグ等も用いることができる。
ここで、プリプレグとは、主に積層板や多層プリント配線板の材料として使用されるものである。例えば、ガラスクロス、紙、不織布、アラミドクロス等の長尺基材にエポキシ樹脂、ポリイミド樹脂等の熱硬化性樹脂を主材とする樹脂ワニスを連続的に含浸し、加熱乾燥してから切断することで、シート状（シート材）に加工したものをいう。
【００５９】
以上に説明したものは一例であり、次の態様毎に特有の効果を奏する。
（態様Ａ）
用紙束などのシート束を積載する用紙積載部１１などのシート積載部と、該シート積載部を昇降させる昇降モータ１９などの昇降手段と、前記シート積載部に積載したシートの有無を検知するペーパーエンドセンサ３２などのシート有無検知手段と、該シート有無検知手段の検知結果から前記シート積載部上のシートの有無を判定する用紙有無判定部２０３などのシート有無判定手段と、前記昇降手段の昇降動作を制御する用紙制御部１８などの制御手段と、を備える給紙装置２００などのシート給送装置において、前記制御手段は、前記シート有無検知手段により、前記シート積載部の昇降方向における第一位置でシートが検知されないときには、前記シート積載部を上昇させて用紙上面などのシートが前記第一位置よりも上方の第二位置となるように前記昇降手段を制御し、この制御を行った後、シートを前記第二位置から前記第一位置まで下降させるように前記昇降手段を制御するときには、前記シート有無判定手段にシート無し、と判定させないことを特徴とする。
【００６０】
これによれば、次のような効果を奏することができる。
従来のシート給送装置では、適正位置から給紙動作などのシート給送動作を開始するために、シート積載部を第二位置から下降させるときに、ペーパーエンドの誤検知が発生してしまい、安定した給紙などのシート給送を行うことができなくなる場合あった。
これは、黒紙や反射率の低いシート、カールしたシート等は、実際にはシート積載部上にあるにも関わらずシート有無検知手段で検知できず、シート有無判定手段でシート無し、と判定してペーパーエンド処理を行う場合があるためである。
このようにペーパーエンド処理を行い、シート積載部を下限位置まで降下させてしまうと、実際にはシート積載部上にシートがあるにも関わらず、補充するまでシートの給送が行えない場合が生じ、安定したシート給送を行うことができなくなってしまう。
【００６１】
一方、本態様Ａのシート給送装置では、制御手段は、シート有無検知手段により、第一位置でシートが検知されず、シート上面が第二位置となるように制御した後、第一位置まで下降させるときには、シート有無判定手段にシート無し、と判定させない。
このように判定させないことで、黒紙や反射率の低いシート、カールしたシート等であっても、ペーパーエンドの誤検知の発生を抑制でき、実際にはシート積載部上にシートがあるにも関わらず、補充するまでシートの給送が行えない場合が生じることを抑制できる。
よって、安定したシート給送を行うことができなくなってしまうことを抑制できるシート給送装置を提供できる。
【００６２】
（態様Ｂ）
（態様Ａ）において、シートが前記第一位置に位置しているか否かを判定する第一上面位置判定部２０１などの第一位置判定手段と、シートが前記第二位置に位置しているか否かを判定する第二上面位置判定部２０２などの第二位置判定手段とを備えていることを特徴とする。
【００６３】
（態様Ｃ）
（態様Ａ）又は（態様Ｂ）において、シートを前記第一位置から前記第二位置まで上昇させるように前記シート積載部を上昇させる上昇動作、及びシートを前記第二位置から前記第一位置まで下降させるように前記シート積載部を下降させる下降動作は、当該シート給送装置のイニシャル動作時に行われることを特徴とする。
これによれば、適正位置、つまり狙いの給送位置からシート給送開始を行うことができ、安定したシート給送を行うことができる。
【００６４】
（態様Ｄ）
（態様Ａ）乃至（態様Ｃ）のいずれかにおいて、前記シート有無判定手段は、給紙動作などのシート給送動作、又は次の当該シート給送装置のイニシャル動作が開始されるまでシート無し、と判定しないことを特徴とする。
これによれば、シート積載部上のシートが枯渇した、所謂、ペーパーエンドと誤検知しなくなる。
【００６５】
（態様Ｅ）
（態様Ｂ）において、前記第一位置判定手段は、シートを検知する第一側上面センサ３１ａなどの第一シート検知センサを有し、該第一シート検知センサの検知結果に基づいてシートが第一位置に位置しているか否かを判定し、前記第二位置判定手段は、前記第一シート検知センサよりも上方に配置され、シートを検知する第二側上面センサ３１ｂなどの第二シート検知センサを有し、該第二シート検知センサの検知結果に基づいてシートが第二位置に位置しているか否かを判定することを特徴とする。
これによれば、反射型センサ等を第一シート検知センサや第二シート検知センサとして容易に用いることができ、第一位置判定手段や第一位置判定手段の構成を簡略化することが可能となる。
【００６６】
（態様Ｆ）
（態様Ａ）乃至（態様Ｅ）のいずれかにおいて、前記制御手段は、前記シート有無検知手段の検知結果をマスク処理することで、前記シート有無判定手段にシート無し、と判定させないようにすることを特徴とする。
これによれば、簡易な構成で、シート積載部上のシートが枯渇した、所謂、ペーパーエンドと誤検知しなくなる。
【００６７】
（態様Ｇ）
（態様Ｆ）において、前記マスク処理を行なう手段は、ラッチ２０５を経由する経路と経由しない経路を切り替え可能に構成するなどしたラッチ回路を含んでおり、前記ラッチ回路に、前記シート有無検知手段のシート有りの検知結果が固定されており、シートを前記第二位置から前記第一位置まで下降するように前記シート積載部が下降しているときには、前記シート有無判定手段は、前記ラッチ回路に固定されている検知結果から前記シート積載部上のシートの有無を判定することを特徴とする。
【００６８】
（態様Ｈ）
（態様Ｆ）において、前記マスク処理を行なう手段は、ダミー被検知部材２０８などのダミー被検知部材と該ダミー被検知部材を移動させる移動手段２０９などの移動手段とを含み、シートを前記第二位置から前記第一位置まで下降させるように前記シート積載部が下降しているときには、前記移動手段は前記ダミー被検知部材を前記シート有無検知手段の検知範囲内に侵入させることを特徴とする。
【００６９】
（態様Ｉ）
（態様Ａ）乃至（態様Ｈ）のいずれかにおいて、前記制御手段は、前回のイニシャル動作時にシート積載部に積載したシートが前記第一位置から前記第二位置まで上昇した場合には、給紙ジョブなどの給送ジョブ完了後、シート積載部上のシートを前記第一位置まで下降させるときに、前記シート有無判定手段にシート無し、と判定させないようにすることを特徴とする。
これによれば、シート積載部上のシートが枯渇した、所謂、ペーパーエンドと誤検知しなくなる。
【００７０】
（態様Ｊ）
（態様Ｂ）又は（態様Ｅ）において、前記シート積載部に積載されたシート束の上端部に向けてエアを吹き付けてシートを浮上させる送風装置１７などのエア吹き付け手段を備え、前記昇降手段は、前記第一位置判定手段と前記第二位置判定手段の判定結果に基づいて、前記シート積載部の昇降動作を停止させてイニシャル動作を完了し、シート給送動作が開始され、前記エア吹き付け手段によるエア吹き付けが開始されると前記第二位置判定手段の判定結果に基づいて、シート積載部の位置を制御することを特徴とする。
【００７１】
これによれば、次のような効果を奏することができる。
イニシャル動作では第二位置でシート積載部を停止させ、給送動作中は第一位置検知手段の検知結果に基づきシート積載部の位置を制御することで、給送開始時に開始されるエア吹き付けで、下降するシート積載部上のシートが浮上し易くすることができる。
また、給送動作中は第一位置検知手段の検知結果に基づいてシート積載部の位置を制御しているため、第二位置ではシート有を検知できない反射率の低いシートなどでもシート有無を正確に検知することができる。
【００７２】
（態様Ｋ）
用紙Ｐなどのシート上に画像を形成する作像ユニット１０１などの画像形成部と、該画像形成部に向けて用紙束などのシート束から分離したシートを給送するシート給送装置と、を備えた画像形成装置１００などの画像形成装置において、前記シート給送装置として、（態様Ａ）乃至（態様Ｊ）のいずれかの給紙装置２００などのシート給送装置を備えたことを特徴とする。
これによれば、（態様Ａ）乃至（態様Ｊ）のいずれかのシート給送装置と同様な効果を奏することができる画像形成装置を提供できる。
【００７３】
（態様Ｌ）
用紙Ｐなどのシート上に画像を形成する画像形成装置と、該画像形成装置に向けて用紙束などのシート束から分離したシートを給送するシート給送装置と、を備えた画像形成システム１などの画像形成システムにおいて、前記シート給送装置として、（態様Ａ）乃至（態様Ｊ）のいずれかの給紙装置２００などのシート給送装置を備えたことを特徴とする。
これによれば、（態様Ａ）乃至（態様Ｊ）のいずれかのシート給送装置と同様な効果を奏することができる画像形成システムを提供できる。
【符号の説明】
【００７４】
１    画像形成システム
１０    給紙トレイ
１１    用紙積載部
１２    フロント送風装置
１３    サイド送風装置
１７    送風装置
１８    用紙制御部
１９    昇降モータ
２０    吸着搬送ユニット
２１    吸着ベルト
２３    吸引装置
３１    用紙検知センサ
３１ａ  第一側上面センサ
３１ｂ  第二側上面センサ
３２    ペーパーエンドセンサ
１００    画像形成装置
１０１    作像ユニット
２００    給紙装置
２０１    第一上面位置判定部
２０２    第二上面位置判定部
２０３    用紙有無判定部
２０４    マスク処理部
２０５    ラッチ
２０６    スイッチ
２０８    ダミー被検知部材
２０９    移動手段
Ｐ    用紙
【先行技術文献】
【特許文献】
【００７５】
【特許文献１】特開２０１６−０８８７１３号公報
【図１】
2019119558.tif 000003
【図２】
2019119558.tif 000004
【図３】
2019119558.tif 000005
【図４】
2019119558.tif 000006
【図５】
2019119558.tif 000007
【図６】
2019119558.tif 000008
【図７】
2019119558.tif 000009
【図８】
2019119558.tif 000010
【図９】
2019119558.tif 000011
【図１０】
2019119558.tif 000012
【図１１】
2019119558.tif 000013
【図１２】
2019119558.tif 000014
【図１３】
2019119558.tif 000015
【図１４】
2019119558.tif 000016
【図１５】
2019119558.tif 000017
【図１６】
2019119558.tif 000018
【図１７】
2019119558.tif 000019